(57)【要約】【課題】  出たい電話のみに出て、出たくない電話を取らないで済むようにすること。【解決手段】  自機からの発呼の履歴を管理し、着呼時に自機から発呼したことがある発信者の場合、その旨を表示する。【選択図】    図３   
2006033040.tif 000002
【特許請求の範囲】
【請求項１】
着呼時に発信元の番号を受信して表示するようにした通信端末装置において、
通信端末装置のテンキーから入力して発呼もしくは発信した番号を履歴情報として記憶すると共に、着呼時に発信元の番号に対する履歴情報を出力するようにしたことを特徴とする、通信端末装置。
【請求項２】
着呼時に、前記履歴情報を表示することを特徴とする、請求項１の通信端末装置。
【請求項３】
前記履歴情報として、発呼もしくは発信の回数とそれらの時期とを表示するようにしたことを特徴とする、請求項２の通信端末装置。
【請求項４】
前記履歴情報以外に電話帳情報を記憶し、発信元の番号が名称と共に電話帳情報に登録されている場合、該名称と前記履歴情報とを表示するようにしたことを特徴とする、請求項１〜３のいずれかの通信端末装置。
【発明の詳細な説明】
【技術分野】
【０００１】
この発明は、固定電話機もしくは携帯電話機などの通信端末装置に関する。
【背景技術】
【０００２】
電話通信においてナンバーディスプレイを利用し、着呼時に発信者の電話番号などを着信側の電話機に表示することが行われている。そしてこのような場合、この発信者から以前に電話を受けたことがあるかどうかなどを、着信側で識別しようとすることは自然なことである。例えば特許文献１では、発信者の電話番号を以前に表示したことがあるかどうか、また以前にオフフック（受話器を上げて電話に出ること、なおオフフックを着信ともいう）して応答したことがあるかどうかを、着呼時に表示する。特許文献２では、その発信者から過去に着呼したことがあるかどうかを表示する。また特許文献３ではその発信者からの過去の着呼の履歴や、前回に応答してから未応答の着呼回数などを表示する。特許文献１〜３では、このようにして過去にその発信者からの電話を着呼したことがあるかどうかを表示し、オフフックするかどうかの参考にする。
【０００３】
しかしながら単に着呼の回数を表示するだけでは、取りたい電話かどうかは分からない。例えば迷惑な宣伝電話でも２回目に着呼すると、「着呼履歴有り」と表示される。また予約のために電話した店などから返事の電話が着呼しても、「着呼履歴無し」と表示される。発明者はこの問題を検討して、相手から電話を受けたかどうかよりも、こちらから電話したことがあるかどうかの方が重要な場合が多いことに気付き、この発明に到った。
【特許文献１】特開２００１−１３６２６８号
【特許文献１】特開２００２−３５４５４０号
【特許文献１】特開平１１−２７５２０９号
【発明の開示】
【発明が解決しようとする課題】
【０００４】
この発明の課題は、出たい電話かどうかを使用者が容易に判断できるようにすることにある。
請求項２〜４の発明での追加の課題は、どのような発信元からの電話かどうかを、使用者がより容易に判断できるようにすることにある。
【課題を解決するための手段】
【０００５】
この発明では、着呼時に発信元の番号を受信して表示するようにした通信端末装置において、通信端末装置のテンキーから入力して発呼もしくは発信した番号を履歴情報として記憶すると共に、着呼時に発信元の番号に対する履歴情報を出力するようにしたことを特徴とする。なおこの発明では、発呼した番号を履歴情報としても、発信した番号を履歴情報としても良く、また発呼もしくは発信のいずれかがあればその番号を履歴情報とすることとしても良い。
好ましくは、着呼時に、前記履歴情報を表示する。
さらに好ましくは、前記履歴情報として、発呼もしくは発信の回数とそれらの時期とを表示する。
【０００６】
またさらに好ましくは、前記履歴情報以外に電話帳情報を記憶し、発信元の番号が名称と共に電話帳情報に登録されている場合、該名称と前記履歴情報とを表示するようにしたことを特徴とする。
【発明の効果】
【０００７】
この発明では、通信端末装置に着呼した場合、発信元の番号に対して過去に発呼あるいは発信したことがあるかどうかを履歴情報から求め、出力する。そこで例えば求めた履歴情報により、着呼時の表示や報知音などを変更することにより、使用者が受話器を上げるかどうかの判断に供することができる。また発呼もしくは発信の履歴情報とすることにより、使用者の事情や都合に応じた設定を行うことが可能になる。
【０００８】
請求項２の発明では、着呼時に求めた履歴情報を表示する。また好ましくは、着呼時に発呼もしくは発信の回数とそれらの時期とを表示する。このようにすると、こちらから電話したことがある相手かどうかが表示され、特に請求項３のようにすると、何回電話したことがあるかと、最近電話したことがあるかとが表示されるので、受話器を上げるかどうかの参考となる。
【０００９】
請求項４の発明では、発信元の番号の名称が電話帳情報に登録されている場合、その名称と履歴情報とを表示するので、誰からの着呼か、こちらから電話したことがあるかや、その回数や時期が一目瞭然となる。
【発明を実施するための最良の形態】
【００１０】
以下に本発明を実施するための最適実施例を示す。
【実施例】
【００１１】
図１〜図７に、実施例を示す。図において２は携帯電話機で、固定電話機などでも良く、４は送受信用のアンテナ、６は送受信制御部で、８はマイクロホン、１０はスピーカ、１２はマイクロホン８とスピーカ１０とを制御する音声制御部である。１４はＬＣＤ、１６は表示制御部で、種々の情報を表示し、１８は電話番号などの入力に用いるテンキーで、２０は入力制御部、２２はＣＰＵで、携帯電話機２の全体を管理する。
【００１２】
２４はＲＯＭで、携帯電話機のプログラムなどを記憶し、２６はＲＡＭで、汎用のメモリとして用いて、例えば一時的な情報などを記憶し、２８はＳＲＡＭで、携帯電話機２の電源をオフしても維持すべき情報を記憶し、不揮発性メモリの例である。なおＳＲＡＭ２８に代えて、フラッシュＲＯＭなどを用いても良い。ＳＲＡＭ２８には例えば発呼履歴情報テーブル３０と電話帳情報３２とを記憶し、発呼履歴情報テーブル３０には発呼先の電話番号と発呼時期（例えば発呼の日時）並びに発呼の回数とを記憶する。電話帳情報３２には、短縮登録した場合の短縮登録番号と相手先の電話番号、並びに名称が登録されている場合にはその名称を記憶する。また短縮登録以外にも電話帳情報３２への登録を認めて、相手先の電話番号とその名称を記憶しても良い。発呼履歴処理部３４は、発呼履歴情報テーブル３０並びに電話帳情報３２を用いて、着呼時の表示を管理する。
【００１３】
図２に着呼時の制御機構を示すと、発呼履歴処理部３４には発呼履歴情報管理部３６を設けて、発呼の都度、発呼履歴情報テーブル３０を更新して、発呼履歴情報を管理する。電話帳情報参照部３８は電話帳情報３２を参照して、着呼時に発信元の名称が登録されているかどうかを参照する。発呼履歴情報参照部４０は着呼時にその発信元に対して発呼した履歴があるかどうかを、発呼履歴情報テーブル３０を参照して求める。
【００１４】
図３に、発呼履歴情報テーブル３０の作成メカニズムを示す。発呼時に短縮キーが選択されたかどうかをチェックし（ステップＳ１）、短縮キーが選択されている場合、電話帳情報内の短縮番号テーブルから発呼先の電話番号を得る（ステップＳ２）。ここで短縮キーは、ワンタッチダイヤルキーや短縮ダイヤルキー等を意味し、発呼先の電話番号に関連づけて電話帳情報に記憶している。
短縮キーが選択されていない場合、テンキー入力によるフルダイヤル入力で発呼先の電話番号を得る（ステップＳ３）。短縮キーを用いて発呼先の電話番号が入力された場合もテンキーからフルダイヤス入力された場合も、発呼履歴情報テーブルを検索する（ステップＳ４）。そして発呼履歴があれば、その発呼先に対して発呼回数を１回加算し、それと同時に発呼時期として発呼日時を記憶する（ステップＳ５，Ｓ６）。発呼履歴がない場合、発呼先の電話番号を登録し、発呼回数を１にセットし、かつ発呼日時を記憶する（ステップＳ７）。このようにして発呼の都度、発呼履歴情報テーブルを更新する（ステップＳ８）。
【００１５】
なお図３では、短縮キーを用いて発呼した場合も、発呼履歴情報テーブルを更新するようにしているが、テンキーを用いて発呼先の電話番号を入力した場合に限り、発呼履歴情報テーブルを更新するようにしても良い。また発呼の場合の履歴情報テーブルを作成することにしているが、発信の場合に作成することとしても良い。
【００１６】
図４に、着呼時の処理を示す。ナンバーディスプレイなどのサービスにより、着呼時に発信元番号を受信すると（ステップＳ１１）、電話帳情報にこの番号が登録されているかどうかをチェックする（ステップＳ１２）。電話帳情報にこの番号の登録があり、かつ名称が登録されている場合、次に発呼履歴情報テーブルに発信元の番号が登録されているかどうかをチェックする（ステップＳ１３，Ｓ１４）。発呼履歴情報テーブルに登録されていれば、発信元の電話番号と名称と発呼回数並びに発呼日時とを発呼履歴情報としてＬＣＤなどに表示する（ステップＳ１５）。もちろんこの場合において、発信元の電話番号の表示を省略し、電話帳情報に登録された名称と発呼履歴情報とを表示しても良い。電話帳情報にこの番号の登録があり、かつ名称が登録されているが発呼履歴情報テーブルに発信元の番号が登録されていない場合は、発信元の電話番号と名称と「発呼履歴情報はありません」等の表示をする（ステップＳ１２、Ｓ１３，Ｓ１４、Ｓ１６）。
【００１７】
次に電話帳情報にこの番号の登録があり、かつ名称が登録されていない場合、発呼履歴情報テーブルに発信元の番号が登録されているかどうかをチェックする（ステップＳ１２、Ｓ１３，Ｓ１７）。 発呼履歴情報テーブルに発信元の番号が登録されていれば、発信元の電話番号と発呼履歴情報とを表示する（ステップＳ１８）。発信元の番号が登録されていなければ、発信元の番号と「電話帳に登録されていますが、発呼履歴はありません」などの表示を行う（ステップＳ１９）。
【００１８】
次に発信元番号が電話帳に登録されていない場合について説明する。電話帳に登録されていない場合も、発呼履歴情報テーブルに発信元の番号が登録されているかどうかをチェックし（ステップＳ２０）、登録されていれば発信元の番号と発呼回数並びに発呼日時を発呼履歴情報として表示する（ステップＳ２１）。電話帳に登録されておらず、発呼履歴情報テーブルにも登録がなければ、発信元の番号のみを表示する（ステップＳ２２）。
【００１９】
図５に発呼履歴情報テーブルの例を示すと、発呼先の番号毎に発呼回数と発呼日時とが記憶されている。なおＳＲＡＭの容量に問題がある場合、例えば最も近い発呼日時のみを記憶する、あるいは最近３回分などの所定回数分のみの発呼日時を記憶してもよい。また図５では、発呼時期として年，月，日，時刻を記憶しているが、例えば月と日を記憶して、時刻や年は記憶しない、あるいは日と時刻を記憶して年月を記憶しなくても良い。
【００２０】
図６は発呼履歴がある場合の着呼時の表示画面４２を示し、図７は発呼履歴がない場合の着呼時の表示画面４４を示す。いずれの場合も、現在の年，月，日，時刻、例えば２００４年６月１０日１３時５分などと、発信元の番号が表示されている。
図６は、発信者の名称が電話帳情報に登録されており、さらに発呼履歴情報も表示することとする場合の表示画面であり、発信者の名称が表示され、こちらから発呼した回数の「５回」と発呼日時とが表示される。これに対して図７の場合、表示されるのは現在の日時と発信者の番号並びに発呼回数が「０回」であることで、こちらからは発呼したことがない相手先であることが明瞭である。なお発呼回数が０回の場合、図４で説明したように「履歴情報はありません」等の表示であっても良く、あるいは発呼回数を表示しなくても良い。
【００２１】
実施例では、こちらから発呼したことのある相手かどうかを着呼時に表示するので、受話器を上げるかどうかを容易に判断することができる。さらに過去に何回発呼したことがあるか、またいつ発呼したのかを表示するので、受話器を上げるかどうかをより容易に判断できる。また電話帳情報に名称が登録されている場合、発信者の名称を表示するので、だれからの着呼かを容易に知ることができる。
【００２２】
実施例では、発呼した際に履歴を作成するようにしたが、発呼ではなく相手先に着信した際に履歴を作成するようにしても良い。電話帳に名称が登録されている発信元から着呼した場合、発呼履歴の有無により名称と発呼履歴、あるいは名称と発呼履歴がない旨とを表示することが好ましい。
【図面の簡単な説明】
【００２３】
【図１】実施例の電話機のブロック図
【図２】実施例での着呼制御機構を示す図
【図３】実施例での発呼時の処理を示すフローチャート
【図４】実施例での着呼制御アルゴリズムを示すフローチャート
【図５】実施例で用いた発呼履歴情報テーブルを模式的に示す図
【図６】実施例で、発呼履歴がある際の着呼時の表示画面を示す図
【図７】実施例で、発呼履歴がない際の着呼時の表示画面を示す図
【符号の説明】
【００２４】
２          携帯電話機
４          アンテナ
６          送受信制御部
８          マイクロホン
１０        スピーカ
１２        音声制御部
１４        ＬＣＤ
１６        表示制御部
１８        テンキー
２０        入力制御部
２２        ＣＰＵ
２４        ＲＯＭ
２６        ＲＡＭ
２８        ＳＲＡＭ
３０        発呼履歴情報テーブル
３２        電話帳情報
３４        発呼履歴処理部
３６        発呼履歴情報管理部
３８        電話帳情報参照部
４０        発呼履歴情報参照部
４２，４４  着呼時表示画面      
【図１】
2006033040.tif 000003
【図２】
2006033040.tif 000004
【図３】
2006033040.tif 000005
【図４】
2006033040.tif 000006
【図５】
2006033040.tif 000007
【図６】
2006033040.tif 000008
【図７】
2006033040.tif 000009